(57)【要約】  制御装置は、電力の需要家施設に設けられた需要家機器を制御する。制御装置は、前記需要家施設に設けられた第１のネットワークを介して、前記需要家機器を操作する操作装置と接続される場合に、前記需要家機器が有する複数の機能の中で、前記操作装置による操作が可能な操作可能機能を示す情報を、前記操作装置に送信する制御部を備える。前記制御部は、前記操作可能機能の中から指定された機能に対する操作指示を前記操作装置から受信した場合に、前記指定された機能の実行を要求する要求メッセージを前記需要家機器に送信する。前記制御部は、前記操作装置が前記需要家施設の外部に位置するか否かに応じて、前記複数の機能の中から前記操作可能機能を選択する。
2015115571.tif 000002
【特許請求の範囲】
【請求項１】
電力の需要家施設に設けられた需要家機器を制御する制御装置であって、
前記需要家施設に設けられた第１のネットワークを介して、前記需要家機器を操作する操作装置と接続される場合に、前記需要家機器が有する複数の機能の中で、前記操作装置による操作が可能な操作可能機能を示す情報を、前記操作装置に送信する制御部を備え、
前記制御部は、前記操作可能機能の中から指定された機能に対する操作指示を前記操作装置から受信した場合に、前記指定された機能の実行を要求する要求メッセージを前記需要家機器に送信し、
前記制御部は、前記操作装置が前記需要家施設の外部に位置するか否かに応じて、前記複数の機能の中から前記操作可能機能を選択することを特徴とする制御装置。
【請求項２】
制御可能な種別に属する機器が有する機能である制御可能機能を示す情報を記憶する記憶部を備え、
前記記憶部は、前記制御可能機能に対する、前記需要家施設の外部に位置する前記操作装置からの遠隔操作の可否を示す遠隔操作情報をさらに記憶し、
前記制御部は、前記複数の機能を示す情報を前記需要家機器から取得し、
前記制御部は、前記制御可能機能の中から、前記複数の機能の各々に対応する機能を特定し、前記特定された機能に対応する前記遠隔操作情報に基づいて、前記複数の機能の各々に対する前記遠隔操作の可否を判断し、
前記制御部は、前記操作装置が前記需要家施設の外部に位置すると判断した場合に、前記遠隔操作が可能な機能を前記複数の機能の中から選択することを特徴とする請求項１に記載の制御装置。
【請求項３】
前記第１のネットワークと異なる第２のネットワークをさらに介して前記操作装置と接続される場合に、前記制御部は、前記操作装置が前記需要家施設の外部に位置すると判断することを特徴とする請求項１または２に記載の制御装置。
【請求項４】
前記第２のネットワークは、公衆ネットワークであることを特徴とする請求項３に記載の制御装置。
【請求項５】
前記記憶部は、前記制御可能機能に対して、自装置の動作状態に応じた制御の可否を示す情報を関連付けて記憶し、
前記制御部は、自装置の動作状態と、前記操作装置が前記需要家施設の外部に位置するか否かとに応じて、前記複数の機能の中から前記操作可能機能を選択することを特徴とする請求項２に記載の制御装置。
【請求項６】
電力の需要家施設に設けられた需要家機器を制御する制御装置における制御方法であって、
前記制御装置が、前記需要家施設に設けられた第１のネットワークを介して、前記需要家機器を操作する操作装置と接続される場合に、前記需要家機器が有する複数の機能の中で、前記操作装置による操作が可能な操作可能機能を示す情報を、前記操作装置に送信するステップと、
前記操作可能機能の中から指定された機能に対する操作指示を前記操作装置から受信した場合に、前記指定された機能の実行を要求する要求メッセージを前記需要家機器に送信するステップと、
前記操作装置が前記需要家施設の外部に位置するか否かに応じて、前記複数の機能の中から前記操作可能機能を選択するステップとを備えることを特徴とする制御方法。
【発明の詳細な説明】
【技術分野】
【０００１】
本発明は、電力の需要家施設に設けられた機器を制御する制御装置及び制御方法に関する。
【背景技術】
【０００２】
近年、電力の需要家施設に設けられた機器を制御する制御装置（ＥＭＳ：Ｅｎｅｒｇｙ Ｍａｎａｇｅｍｅｎｔ Ｓｙｓｔｅｍ）が注目を浴びている（例えば、特許文献１）。そのような機器は、例えば、電力を消費して動作する負荷（例えば、エアコン、照明又は冷蔵庫等）、又は電力を出力する分散電源（例えば、太陽光発電装置、蓄電池装置、又は燃料電池装置等）である。【０００３】
制御装置としては、住宅に設けられるＨＥＭＳ（Ｈｏｍｅ Ｅｎｅｒｇｙ Ｍａｎａｇｅｍｅｎｔ ）Ｓｙｓｔｅｍ）、ビルに設けられるＢＥＭＳ（Ｂｕｉｌｄｉｎｇ Ｅｎｅｒｇｙ Ｍａｎａｇｅｍｅｎｔ Ｓｙｓｔｅｍ）、工場に設けられるＦＥＭＳ（Ｆａｃｔｏｒｙ Ｅｎｅｒｇｙ Ｍａｎａｇｅｍｅｎｔ Ｓｙｓｔｅｍ）、店舗に設けられるＳＥＭＳ（Ｓｔｏｒｅ Ｅｎｅｒｇｙ Ｍａｎａｇｅｍｅｎｔ Ｓｙｓｔｅｍ）、コミュニティ単位で設けられるＣＥＭＳ（Ｃｌｕｓｔｅｒ/Ｃｏｍｍｕｎｉｔｙ Ｅｎｅｒｇｙ Ｍａｎａｇｅｍｅｎｔ Ｓｙｓｔｅｍ）等が挙げられる。制御装置は、機器が有する複数の機能の中から指定された機能の実行を要求する要求メッセージを、需要家施設に設けられたネットワークを介して機器に送信する。【０００４】
ところで、機器を操作するための操作装置として、スマートフォン又はタブレット端末等を用いるケースが増加している。操作装置は、ユーザによって入力された情報に応じて機器に対する操作指示を生成し、制御装置に操作指示を送信する。操作装置から操作指示を取得した制御装置は、操作指示に応じた要求メッセージを生成し、生成した要求メッセージを機器に送信する。【０００５】
このような操作装置によれば、需要家施設の外部から機器を操作する遠隔操作が可能である。しかしながら、需要家施設の外部から機器の動作状態を確認することは困難であるため、遠隔操作を行う場合には、需要家施設の内部から機器を操作する場合よりも安全性に配慮する必要がある。
【先行技術文献】
【特許文献】
【０００６】
【特許文献１】特開２０１０−１２８８１０号公報
【発明の概要】
【０００７】
第１の特徴に係る制御装置は、電力の需要家施設に設けられた需要家機器を制御する。制御装置は、前記需要家施設に設けられた第１のネットワークを介して、前記需要家機器を操作する操作装置と接続される場合に、前記需要家機器が有する複数の機能の中で、前記操作装置による操作が可能な操作可能機能を示す情報を、前記操作装置に送信する制御部を備える。前記制御部は、前記操作可能機能の中から指定された機能に対する操作指示を前記操作装置から受信した場合に、前記指定された機能の実行を要求する要求メッセージを前記需要家機器に送信する。前記制御部は、前記操作装置が前記需要家施設の外部に位置するか否かに応じて、前記複数の機能の中から前記操作可能機能を選択する。
【０００８】
第２の特徴に係る制御方法は、電力の需要家施設に設けられた需要家機器を制御する制御装置における制御方法である。制御方法は、前記制御装置が、前記需要家施設に設けられた第１のネットワークを介して、前記需要家機器を操作する操作装置と接続される場合に、前記需要家機器が有する複数の機能の中で、前記操作装置による操作が可能な操作可能機能を示す情報を、前記操作装置に送信するステップと、前記操作可能機能の中から指定された機能に対する操作指示を前記操作装置から受信した場合に、前記指定された機能の実行を要求する要求メッセージを前記需要家機器に送信するステップと、前記操作装置が前記需要家施設の外部に位置するか否かに応じて、前記複数の機能の中から前記操作可能機能を選択するステップとを備える。
【図面の簡単な説明】
【０００９】
【図１】図１は、実施形態に係る制御システムを示す図である。
【図２】図２は、実施形態に係るＥＭＳを示すブロック図である。
【図３】図３は、実施形態に係る操作装置を示すブロック図である。
【図４】図４は、実施形態に係る制御システム１０の適用シーンを示す図である。
【図５】図５は、実施形態に係るプロパティテーブルを示す図である。
【図６】図６は、実施形態に係る遠隔操作情報を示す図である。
【図７】図７は、実施形態に係る制御方法を示すフロー図である。
【図８】図８は、実施形態の変更例に係る動作状態別制御情報を示す図である。
【図９】図９は、実施形態の変更例に係る制御方法を示すフロー図である。
【発明を実施するための形態】
【００１０】
以下において、実施形態に係る制御システムについて、図面を参照しながら説明する。なお、以下の図面の記載において、同一又は類似の部分には、同一又は類似の符号を付している。
【００１１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１２】
［実施形態の概要］
実施形態に係る制御装置は、電力の需要家施設に設けられた需要家機器を制御する。制御装置は、前記需要家施設に設けられた第１のネットワークを介して、前記需要家機器を操作する操作装置と接続される場合に、前記需要家機器が有する複数の機能の中で、前記操作装置による操作が可能な操作可能機能を示す情報を、前記操作装置に送信する制御部を備える。前記制御部は、前記操作可能機能の中から指定された機能に対する操作指示を前記操作装置から受信した場合に、前記指定された機能の実行を要求する要求メッセージを前記需要家機器に送信する。前記制御部は、前記操作装置が前記需要家施設の外部に位置するか否かに応じて、前記複数の機能の中から前記操作可能機能を選択する。
【００１３】
実施形態では、操作装置が需要家施設の外部に位置するか否かに応じて、機器が有する複数の機能の中から操作可能機能が選択される。従って、需要家の安全性を確保しつつ、操作装置の利便性を向上させることができる制御装置及び制御方法を提供することができる。
【００１４】
［実施形態］
（制御システム）
以下において、実施形態に係る制御システムについて説明する。図１は、実施形態に係る制御システム１０を示す図である。
【００１５】
図１に示すように、制御システム１０は、需要家施設に設けられた機器１００と、ＥＭＳ２００と、操作装置３００とを有する。図１では、信号が伝達される信号線を実線で、電力が伝達される電力線を破線で示す。信号線は、有線であってもよく、無線であってもよい。
【００１６】
機器１００は、例えば、電力を消費して動作する負荷、又は電力を出力する分散電源である。負荷は、電力線を介して供給を受ける電力を消費する装置である。負荷は、例えば、冷蔵庫、冷凍庫、照明又はエアコンなどの家電機器である。分散電源は、例えば、太陽光発電装置（ＰＶ装置）、蓄電池装置又は燃料電池装置である。図１では、機器１００の例として、ＰＶ装置１１０、蓄電池装置１２０及び照明１３０が示される。
【００１７】
分電盤５００は、配電線１（系統）に接続されている。分電盤５００は、電力線を介して、機器１００（ＰＶ装置１１０、蓄電池装置１２０及び照明１３０）に接続されている。
【００１８】
ＰＶ装置１１０は、太陽光の受光に応じて発電を行う太陽光発電装置である。ＰＶ装置１１０は、発電されたＤＣ電力をＡＣ電力に変換し、電力線を介してＡＣ電力を分電盤５００に出力する。ＰＶ装置１１０の発電量は、日射量に応じて変化する。
【００１９】
蓄電池装置１２０は、電力を蓄積する装置である。蓄電池装置１２０は、系統１から供給されたＡＣ電力をＤＣ電力に変換し、ＤＣ電力を蓄積する。また、蓄電池装置１４０は、出力されたＤＣ電力をＡＣ電力に変換し、電力線を介してＡＣ電力を分電盤５００に出力する。
【００２０】
照明１３０は、分電盤５００から出力された電力を消費して動作する。
【００２１】
ＥＭＳ２００は、機器１００の制御及び管理を行う制御装置（Ｅｎｅｒｇｙ  Ｍａｎａｇｅｍｅｎｔ  Ｓｙｓｔｅｍ）の一例である。
【００２２】
ＥＭＳ２００は、需要家施設に設けられた狭域ネットワーク（第１のネットワーク）を介して、ＰＶ装置１１０、蓄電池装置１２０及び照明１３０と接続されている。第１のネットワークは、例えばホームエリアネットワークであり、具体的には、ルータ４００及び信号線等を含む。
【００２３】
ＥＭＳ２００は、機器１００との間で所定の通信プロトコルに対応するメッセージの送受信を行う。これにより、ＥＭＳ２００は、機器１００の制御及び管理を行う。所定の通信プロトコルとしては、例えば、ＥＣＨＯＮＥＴ Ｌｉｔｅ（登録商標）が挙げられる。ＥＣＨＯＮＥＴ Ｌｉｔｅ（登録商標）をサポートする機器１００及びＥＭＳ２００は、ＥＣＨＯＮＥＴ Ｌｉｔｅ（登録商標）において規定されるＥＣＨＯＮＥＴ Ｌｉｔｅ（登録商標）ノードに相当する。
【００２４】
ＥＭＳ２００は、インターネット等の公衆ネットワーク（第２のネットワーク）を介して、各種サーバと接続されてもよい。ＥＭＳ２００は、例えば、系統１からの買電単価及び系統１への売電単価などの情報を、各種サーバから取得してもよい。
【００２５】
操作装置３００は、機器１００を操作する装置である。操作装置３００は、例えば、パソコン３０１、タブレット端末３０２、スマートフォン３０３又はテレビ３０４等である。操作装置３００は、第１のネットワーク及び第２のネットワークを介して、需要家施設の外部から機器１００を操作する遠隔操作を行うことができる。
【００２６】
（ＥＭＳの構成）
以下において、実施形態に係るＥＭＳについて説明する。図２は、実施形態に係るＥＭＳ２００を示すブロック図である。
【００２７】
図２に示すように、ＥＭＳ２００は、通信部２１０と、記憶部２２０と、制御部２３０とを有する。
【００２８】
通信部２１０は、機器１００及び操作装置３００と通信を行う。
【００２９】
通信部２１０は、機器１００の制御及び管理に必要な情報を、第２のネットワークを介して各種サーバから受信してもよい。
【００３０】
記憶部２２０は、機器１００の制御及び管理に必要な情報を記憶する。具体的には、記憶部２２０は、機器１００の情報を記憶する。機器１００の情報は、例えば、機器１００のスペック（メーカーコード、製造番号、機種、定格出力又は定格消費電力等）を示すスペック情報と、機器１００のステータス（電源状態、設定温度、出力又は消費電力、及び動作モード等）を示すステータス情報とを含む。
【００３１】
記憶部２２０は、制御可能な種別に属する機器が有する機能（制御可能機能）を示す情報（制御可能機能情報）を記憶する。制御可能機能については、後述する。また、記憶部２２０は、制御可能機能に対する遠隔操作の可否を示す情報（遠隔操作情報）をさらに記憶する。また、記憶部２２０は、制御可能機能に対する、ＥＭＳ２００の動作状態に応じた制御の可否を示す情報（動作状態別制御情報）をさらに記憶する。
【００３２】
制御部２３０は、通信部２１０及び記憶部２２０を制御する。
【００３３】
制御部２３０は、機器１００が有する複数の機能を示す情報を機器１００から取得する。
【００３４】
制御部２３０は、機器１００を制御するための要求メッセージを機器１００に送信する。具体的には、制御部２３０は、機器１００が有する複数の機能の中で指定された機能の実行を要求する要求メッセージを生成し、通信部２１０を介して要求メッセージを機器１００に送信する。
【００３５】
制御部２３０は、機器１００が有する複数の機能の中で、操作装置３００による操作が可能な操作可能機能を示す情報を、通信部２１０を介して操作装置３００に送信する。ここで、制御部２３０は、操作装置３００が需要家施設の外部に位置するか否かに応じて、機器１００が有する複数の機能の中から操作可能機能を選択する。
【００３６】
制御部２３０は、操作可能機能の中から指定された機能に対する操作指示を操作装置３００から受信した場合に、指定された機能の実行を要求する要求メッセージを生成する。制御部２３０は、生成した要求メッセージを、通信部２１０を介して機器１００に送信する。
【００３７】
（操作装置の構成）
以下において、実施形態に係る操作装置について説明する。図３は、実施形態に係る操作装置３００を示すブロック図である。
【００３８】
図３に示すように、操作装置３００は、通信部３１０と、記憶部３２０と、制御部３３０と、表示部３４０と、入力部３５０とを有する。
【００３９】
通信部３１０は、需要家施設に設けられたネットワークを介して、ＥＭＳ２００と通信を行う。ここで、操作装置３００が所定の通信プロトコルに対応する場合には、通信部３１０は、機器１００と通信を行ってもよい。
【００４０】
記憶部３２０は、通信部３１０を介して取得した情報を記憶する。
【００４１】
制御部３３０は、通信部３１０、記憶部３２０及び表示部３４０を制御する。
【００４２】
制御部３３０は、ユーザによって入力された情報に応じて機器１００に対する操作指示を生成し、通信部３１０を介してＥＭＳ２００に操作指示を送信する。
【００４３】
表示部３４０は、機器１００の情報を表示する。具体的には、表示部３３０は、操作可能機能を示す情報を表示する。
【００４４】
入力部３５０は、ユーザが機器１００の制御又は管理のための情報を入力するためのキーボード等である。ユーザは、例えば、入力部３５０を介して、表示部３４０に表示させる情報を特定するための情報を入力する。あるいは、ユーザは、操作可能機能の中から操作する機能を指定し、入力部３５０を介して、指定された機能を操作するための情報を入力する。入力部３５０は、例えばタッチパネルのように、表示部３４０と一体化されていてもよい。
【００４５】
（適用シーン）
以下において、実施形態に係る適用シーンについて説明する。図４は、実施形態に係る制御システム１０の適用シーンを示す図である。
【００４６】
図４において、需要家施設は住宅として例示されている。ルータ４００は、需要家施設に設けられた第１のネットワーク７０を構成する。ルータ４００は、第１のネットワーク７０として、無線ＬＡＮを構成してもよく、有線ＬＡＮを構成してもよい。
【００４７】
図４においては、操作装置３００として、第１のネットワーク７０に接続された操作装置３００Ａと、第２のネットワーク６０に接続された操作装置３００Ｂとが例示されている。操作装置３００Ａは、例えば、ルータ４００に無線で接続されたスマートフォン、又はルータ４００に有線で接続されたパソコン等である。
【００４８】
操作装置３００Ａは、ユーザから入力された情報に応じて操作指示を生成し、操作指示をＥＭＳ２００に送信する。操作装置３００Ａから操作指示を取得したＥＭＳ２００は、操作指示に応じた要求メッセージを生成し、生成した要求メッセージを機器１００に送信する。これにより、操作装置３００Ａは、ルータ４００及びＥＭＳ２００を介して、機器１００を操作する。
【００４９】
操作装置３００Ｂは、例えば、サーバ６００にアクセス可能なスマートフォン等である。
【００５０】
サーバ６００は、第２のネットワーク６０上に設けられており、第２のネットワーク６０を介してＥＭＳ２００と接続する。サーバ６００は、操作装置３００Ｂから送信された操作指示を、ＥＭＳ２００に中継する。
【００５１】
ここで、操作装置３００Ｂがサーバ６００に常時接続されているとは限らないことに留意すべきである。また、セキュリティの観点から、需要家施設に設けられる第１のネットワーク７０に接続されたＥＭＳ２００とサーバ６００とのセッションが常に維持されることは好ましくない。一般的には、第１のネットワーク７０に接続された装置を保護するために、第２のネットワーク６０と第１のネットワーク７０との間にファイアウォールが設けられる。従って、サーバ６００からＥＭＳ２００に対するアクセスを任意に行うことはできない。このような観点から、サーバ６００は、ＥＭＳ２００からサーバ６００に対して定期的に実行される問合せに応じて、操作装置３００Ｂから受信した操作指示をＥＭＳ２００に送信することが好ましい。
【００５２】
但し、実施形態は、これに限定されるものではない。例えば、ファイアウォールに対してポート開放等を行うことによって、サーバ６００からＥＭＳ２００に対して、操作装置３００Ｂから受け付ける操作指示を任意のタイミングで送信してもよい。
【００５３】
第１実施形態において、サーバ６００は、操作装置３００Ｂから送信された操作指示をＥＭＳ２００に中継する場合には、操作指示の送信元が操作装置３００Ｂであることを示す情報を、操作指示とともにＥＭＳ２００に送信する。操作装置３００Ｂから送信された操作指示を取得したＥＭＳ２００は、操作装置３００Ａの場合と同様に、操作指示に応じた要求メッセージを生成し、生成した要求メッセージを機器１００に送信する。これにより、操作装置３００Ｂは、機器１００の遠隔操作を行う。
【００５４】
（プロパティテーブル）
以下において、実施形態に係るＥＭＳ２００が操作可能機能を選択する手段について説明する。図５は、実施形態に係るプロパティテーブルを示す図である。図６は、実施形態に係る遠隔操作情報を示す図である。
【００５５】
上述したように、操作装置３００によれば、宅内（需要家施設の内部）から機器１００を操作するだけでなく（操作装置３００Ａ）、宅外（需要家施設の外部）から機器１００の遠隔操作を行うことが可能である（操作装置３００Ｂ）。しかしながら、宅外から機器１００の動作状態を確認することは困難であるため、操作装置３００Ｂによって機器１００の遠隔操作を行う場合には、操作装置３００Ａによって機器を操作する場合よりも、安全性に配慮する必要がある。
【００５６】
そこで、ＥＭＳ２００は、操作装置３００が需要家施設の外部に位置するか否かに応じて、機器１００が有する複数の機能の中から操作可能機能を選択する。以下、所定の通信プロトコルとしてＥＣＨＯＮＥＴＬｉｔｅ（登録商標）を用いた場合を例に説明する。
【００５７】
まず、図５に示すように、ＥＭＳ２００（記憶部２２０）は、ＥＭＳ２００が制御可能な種別（クラス）に属する機器（制御可能機器）について、種別毎にプロパティテーブルを記憶する。制御可能機器の種別は、ＥＣＨＯＮＥＴ Ｌｉｔｅ（登録商標）において規定される。図５に示すプロパティテーブルは、エアコンクラスに属する機器に対応するプロパティテーブルである。
【００５８】
図５に示すプロパティテーブルは、「プロパティ名称」、「Ｓｅｔ」及び「Ｇｅｔ」に対応するデータ列を有する。「プロパティ名称」に対応するデータ列は、制御可能機器のステータスを特定する項目（プロパティ）の名称を示す。「Ｓｅｔ」に対応するデータ列は、対応するプロパティに対する設定機能（Ｓｅｔコマンド）の可否を示す。「Ｇｅｔ」に対応するデータ列は、対応するプロパティに対する参照機能（Ｇｅｔコマンド）の可否を示す。すなわち、機器が有する「機能」とは、機器のプロパティを設定する機能、又は参照する機能を意味する。
【００５９】
例えば、図５においては、制御可能機器に対し、「動作状態」のプロパティを設定する機能及び参照する機能がいずれも実行可能であることが示される。従って、ＥＭＳ２００が、動作状態をＯＮに変更することを要求する要求メッセージ（Ｓｅｔコマンド）を制御可能機器に送信した場合、制御可能機器は、自機器の動作状態をＯＦＦからＯＮに変更する機能を実行し、その機能を実行したことを示す応答メッセージを、ＥＭＳ２００に送信する。同様に、ＥＭＳ２００が、動作状態を参照することを要求する要求メッセージ（Ｇｅｔコマンド）を制御可能機器に送信した場合、制御可能機器は、自機器の動作状態（例えばＯＮ状態）の情報を含む応答メッセージを、ＥＭＳ２００に送信する。
【００６０】
次に、図６に示すように、ＥＭＳ２００（記憶部２２０）は、制御可能機器が有する機能（制御可能機能）に対する遠隔操作の可否を示す遠隔操作情報をさらに記憶する。図６において、「アクセス種別」が宅内であることは、操作装置３００Ａからの操作であることを示し、宅外であることは、操作装置３００Ｂからの遠隔操作であることを示す。「ＳＥＴ操作可能なプロパティ一覧」には、操作装置３００Ａからの操作指示に応じて設定可能なプロパティと、操作装置３００Ｂからの操作指示に応じて設定可能なプロパティとが示される。ここでは、図５に示すプロパティテーブルの項目番号により、プロパティが示される。すなわち、図５及び図６の例では、制御可能機能の中で、遠隔操作によって設定可能なプロパティは、図５に示すＯＦＦタイマ予約設定及びＯＦＦタイマ相対時間設定値であることがわかる。
【００６１】
次に、ＥＭＳ２００（制御部２３０）は、機器１０が有する複数の機能を示す情報を、機器１０から取得する。ＥＭＳ２００は、上述した制御可能機能の中から、機器１０が有する複数の機能の各々に対応する機能を特定する。ＥＭＳ２００は、これらの特定された機能に対応する遠隔操作情報に基づいて、機器１０が有する複数の機能の各々に対する遠隔操作の可否を判断する。
【００６２】
ＥＭＳ２００は、操作装置３００が宅外に位置する操作装置３００Ｂであると判断した場合に、このようにして、機器１０が有する複数の機能の中から遠隔操作が可能な機能を選択する。ここで、ＥＭＳ２００は、第１のネットワーク７０と異なる第２のネットワーク６０をさらに介して操作装置３００と接続される場合に、操作装置３００が宅外に位置する（操作装置３００Ｂ）と判断する。例えば、ＥＭＳ２００が受信した操作指示の送信元アドレスがサーバ６００である場合に、ＥＭＳ２００は、操作装置３００Ｂからの操作指示であると判断する。
【００６３】
（制御方法）
以下において、実施形態に係る制御方法について説明する。図７は、実施形態に係る制御方法を示すフロー図である。
【００６４】
図７に示すように、ステップＳ１１０において、ＥＭＳ２００は、制御可能機能情報と遠隔操作情報とを関連付けて記憶する。
【００６５】
ステップＳ１２０において、ＥＭＳ２００は、機器１００のプロパティ情報を取得する。具体的には、ＥＭＳ２００は、機器１００にプロパティ情報を要求する要求メッセージを送信し、要求メッセージに応じた応答メッセージに含まれるプロパティ情報を取得する。機器１００のプロパティ情報は、例えば、図５に示すプロパティテーブルと同様に、機器１００のプロパティ名称の情報と、機器１００のプロパティに対する設定及び参照の可否を示す情報とを含む。ＥＭＳ２００は、取得されたプロパティ情報に基づいて、機器１００の種別を把握する。
【００６６】
ステップＳ１３０において、ＥＭＳ２００は、機器１００のプロパティ情報と制御可能機能情報とを対比する。
【００６７】
ステップＳ１４０において、ＥＭＳ２００は、機器１００が有する機能に対する遠隔操作の可否を判断する。
【００６８】
ステップＳ１５０において、ＥＭＳ２００は、操作装置３００が宅外に位置するか否かを判判定する。具体的には、ＥＭＳ２００は、操作装置３００から受信したメッセージの送信元アドレスがサーバ６００である場合には、操作装置３００が宅外に位置すると判断する。ＥＭＳ２００は、操作装置３００から受信したメッセージの送信元アドレスが操作装置３００である場合には、操作装置３００が宅内に位置すると判断する。判定結果がＹＥＳの場合、ＥＭＳ２００は、ステップＳ１６０の処理に進む。判定結果がＮＯの場合、ＥＭＳ２００は、ステップＳ１７０の処理に進む。
【００６９】
ステップＳ１６０において、ＥＭＳ２００は、遠隔操作に対応する機能リストを操作装置３００（操作装置３００Ｂ）に送信する。
【００７０】
ステップＳ１７０において、ＥＭＳ２００は、宅内からの操作（宅内操作）に対応する機能リストを操作装置３００（操作装置３００Ａ）に送信する。
【００７１】
［変更例］
以下において、実施形態の変更例について説明する。図８は、実施形態の変更例に係る動作状態別制御情報を示す図である。図９は、実施形態の変更例に係る制御方法を示すフロー図である。以下、変更例について、実施形態との相違点を中心に説明する。
【００７２】
変更例において、ＥＭＳ２００（記憶部２２０）は、制御可能機能に対する、ＥＭＳ２００の動作状態に応じた制御の可否を示す情報（動作状態別制御情報）をさらに記憶する。
【００７３】
図８に示すように、「ＥＭＳの状態」は、例えば、ＥＭＳ２００の動作状態が、ＥＭＳ２００が有する機能を実行可能な状態である通常動作状態、電源ＯＦＦ時又は故障発生時等の異常状態、又は需要家施設における消費電力の抑制が必要な状態である節電状態のいずれかであることを示す。「ＳＥＴ要求可能なプロパティ一覧」は、ＥＭＳ２００が各状態である場合に、設定要求（ＳＥＴコマンド）が可能なプロパティを示す。
【００７４】
ＥＭＳ２００は、自装置の動作状態と、操作装置３００が宅外に位置するか否かとに応じて、機器１００が有する複数の機能の中から操作可能機能を選択する。
【００７５】
図９に示すように、ステップＳ２１０において、ＥＭＳ２００は、制御可能機能情報と、ＥＭＳ２００の動作状態別制御情報と、遠隔操作情報とを、関連付けて記憶する。
【００７６】
ステップＳ２２０において、ＥＭＳ２００は、機器１００のプロパティ情報を取得する。
【００７７】
ステップＳ２３０において、ＥＭＳ２００は、機器１００のプロパティ情報と制御可能機能情報とを対比する。
【００７８】
ステップＳ２４０において、ＥＭＳ２００は、機器１００が有する複数の機能の中からＥＭＳ２００の動作状態に対応可能な機能を特定する。
【００７９】
ステップＳ２５０において、ＥＭＳ２００は、ＥＭＳ２００の動作状態に対応可能な機能に対する遠隔操作の可否を判断する。
【００８０】
ステップＳ２６０において、ＥＭＳ２００は、操作装置３００が宅外にいるか否かを判定する。判定結果がＹＥＳの場合、ＥＭＳ２００は、ステップＳ２７０の処理に進む。判定結果がＮＯの場合、ＥＭＳ２００は、ステップＳ２８０の処理に進む。
【００８１】
ステップＳ２７０において、ＥＭＳ２００は、遠隔操作に対応する機能を示す情報を操作装置３００（操作装置３００Ｂ）に送信する。
【００８２】
ステップＳ２８０において、ＥＭＳ２００は、宅内操作に対応する機能を示す情報を、操作装置３００（操作装置３００Ａ）に送信する。
【００８３】
以上説明したように、実施形態では、操作装置３００が宅外（需要家施設の外部）に位置するか否かに応じて、機器１００が有する複数の機能の中から操作可能機能を選択する。ＥＭＳ２００は、機器１００が有する複数の機能の中で、例えば漏電事故又は火災等を引き起こすリスクの少ない機能のみを遠隔操作可能として設定することにより、安全性を確保することができる。また、操作装置３００を宅内で使用する場合には、宅内操作に対応する機能を選択することにより、操作装置３００の利便性を向上させることができる。また、操作装置３００は、操作不可能な機能に対する操作指示を送信することができないため、無駄な情報の入力及び操作指示の送信が防止される。
【００８４】
さらに、変更例では、ＥＭＳ２００の動作状態をさらに考慮して操作可能機能が選択される。そのため、例えば、操作装置３００の位置的条件によれば操作可能な機能であっても、ＥＭＳ２００側の理由により制御できない機能に対して、操作装置３００から操作指示を送信することが防止される。
【００８５】
従って、安全性を確保しつつ、操作装置の利便性を向上させることができる制御装置及び制御方法を提供することができる。
【００８６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８７】
実施形態では、所定の通信プロトコルとして、ＥＣＨＯＮＥＴ Ｌｉｔｅ（登録商標）を例示した。しかしながら、実施形態は、これに限定されるものではなく、所定の通信プロトコルとして、ＥＣＨＯＮＥＴ ｉｔｅ（登録商標）以外の通信プロトコル（例えば、ＺｉｇＢｅｅ（登録商標）又はＫＮＸ等）を用いてもよい。あるいは、所定の通信プロトコルとして、ＥＣＨＯＮＥＴ Ｌｉｔｅ（登録商標）と他の通信プロトコルとを組み合わせて用いてもよい。
【００８８】
実施形態では、操作装置３００が操作指示をＥＭＳ２００に送信し、ＥＭＳ２００が操作指示に応じた要求メッセージを機器１００に送信するケースについて説明した。しかしながら、実施形態は、これに限定されるものではなく、操作装置３００が所定の通信プロトコルに対応する場合には、操作装置３００は、操作指示を直接機器１００に送信してもよい。
【００８９】
ＥＭＳ２００は、ＨＥＭＳ（Ｈｏｍｅ Ｅｎｅｒｇｙ Ｍａｎａｇｅｍｅｎｔ Ｓｙｓｔｅｍ）であってもよく、ＳＥＭＳ（Ｓｔｏｒｅ Ｅｎｅｒｇｙ Ｍａｎａｇｅｍｅｎｔ Ｓｙｓｔｅｍ）であってもよく、ＢＥＭＳ（Ｂｕｉｌｄｉｎｇ Ｅｎｅｒｇｙ Ｍａｎａｇｅｍｅｎｔ Ｓｙｓｔｅｍ）であってもよく、ＦＥＭＳ（Ｆａｃｔｏｒｙ Ｅｎｅｒｇｙ Ｍａｎａｇｅｍｅｎｔ Ｓｙｓｔｅｍ）であってもよい。
【００９０】
なお、日本国特許出願第２０１４−１４９４４号（２０１４年１月２９日出願）の全内容が、参照により、本願明細書に組み込まれている。
【産業上の利用可能性】
【００９１】
実施形態によれば、安全性を確保しつつ、操作装置の利便性を向上させることができる制御装置及び制御方法を提供することができる。
【図１】
2015115571.tif 000003
【図２】
2015115571.tif 000004
【図３】
2015115571.tif 000005
【図４】
2015115571.tif 000006
【図５】
2015115571.tif 000007
【図６】
2015115571.tif 000008
【図７】
2015115571.tif 000009
【図８】
2015115571.tif 000010
【図９】
2015115571.tif 000011
【国際調査報告】
2015115571.tif 000012
2015115571.tif 000013
2015115571.tif 000014
2015115571.tif 000015